(57)【要約】【課題】連写撮影時に取得される画像において、画質を様々なバリエーションで表現すること。【解決手段】ディジタルカメラ１は、被写体の像を撮影する撮像素子９と、撮像素子９により取得されたアナログ画像信号をデジタル画像信号に変換するＡＦＥ１１と、連写撮影時に操作されるシャッタ操作部７と、シャッタ操作部７の操作量または操作力を検出するセンサ１３と、センサ１３により検出された操作量または操作力に基づいて、ＡＦＥ１１のアナログ画像信号を増幅するゲインを調節する全体コントローラ１９とを備える。【選択図】図３
2009027553.tif 000002
【特許請求の範囲】
【請求項１】
被写体の像を撮影する撮像素子と、
該撮像素子により取得されたアナログ画像信号をデジタル画像信号に変換する画像信号変換部と、
連写撮影時に操作されるシャッタ操作部と、
該シャッタ操作部の操作量または操作力を検出する検出部と、
該検出部により検出された操作量または操作力に基づいて、前記画像信号変換部の前記アナログ画像信号を増幅するゲインを調節する制御部と
を備えるカメラ。
【請求項２】
前記検出部が、前記シャッタ操作部の操作量を検出し、
前記シャッタ操作部が、操作量を保持する操作量保持手段を備える請求項１に記載のカメラ。
【請求項３】
前記シャッタ操作部が、筐体表面から出没可能に設けられた押しボタンである請求項１または請求項２に記載のカメラ。
【請求項４】
前記シャッタ操作部が、筐体表面に略直交する軸線回りに回転可能なダイヤルである請求項１または請求項２に記載のカメラ。
【請求項５】
前記シャッタ操作部が、筐体表面と略平行な軸線回りに揺動可能なスティックである請求項１または請求項２に記載のカメラ。
【請求項６】
前記シャッタ操作部が、筐体表面に沿う方向に移動可能なスライダである請求項１または請求項２に記載のカメラ。
【発明の詳細な説明】
【技術分野】
【０００１】
本発明は、カメラに関するものである。
【背景技術】
【０００２】
従来、連写撮影時にシャッタの押し下げ量に逆比例した時間間隔で連続撮影するカメラが知られている（例えば、特許文献１参照）。
このカメラによれば、動きの激しい被写体を撮影する場合に、被写体の動きの激しさに応じてシャッタの押し下げ量を増加させるだけで、より多くの画像を取得することができ、所望の画像が取得される確率を高めることができる。
【特許文献１】特開２００６−１６２７２５号公報
【発明の開示】
【発明が解決しようとする課題】
【０００３】
しかしながら、１秒間に３０枚以上の連写撮影が可能なカメラにおいては、同一の撮影条件下において似たような画像を何枚も取得するより、むしろ、連写撮影の間に撮影条件を変更して、画質を様々なバリエーションで表現する、いわゆる、ブラケット撮影を行うことが望まれると予想される。
このような要望に対して、特許文献１に開示されているようなフレームレートを変化させるだけのカメラでは、対応することができないという不都合がある。
【０００４】
本発明は、このような事情に鑑みてなされたものであって、連写撮影時に取得される画像において、画質を様々なバリエーションで表現することを可能とするカメラを提供することを目的とする。
【課題を解決するための手段】
【０００５】
上記課題を解決するために、本発明は以下の手段を採用する。
本発明は、被写体の像を撮影する撮像素子と、該撮像素子により取得されたアナログ画像信号をデジタル画像信号に変換する画像信号変換部と、連写撮影時に操作されるシャッタ操作部と、該シャッタ操作部の操作量または操作力を検出する検出部と、該検出部により検出された操作量または操作力に基づいて、前記画像信号変換部の前記アナログ画像信号を増幅するゲインを調節する制御部とを備えるカメラを提供する。
【０００６】
本発明によれば、撮像素子により被写体の像が撮影されると、そのアナログ画像信号が画像信号変換部によりデジタル画像信号に変換される。そして、連写撮影時においては、シャッタ操作部を操作することにより、検出部の作動によってその操作量または操作力が検出され、制御部の作動によって画像信号変換部のアナログ画像信号を増幅するゲインが調節される。
【０００７】
これにより、アナログ画像信号を増幅するゲインを大きくすると、すなわち、ＩＳＯ感度を高くすると、ノイズが多くなり画像がザラついて画質が低下する一方、アナログ画像信号が増幅されて、少ない入射光量でも明るい画像を得ることができる。一方、アナログ画像信号を増幅するゲインを小さくすると、すなわち、ＩＳＯ感度を低くすると、アナログ画像信号が小さくなるので、ノイズを低減して画像のザラつきを防ぎ、高画質の撮影を行うことが可能になる。
したがって、シャッタ操作部の操作量または操作力を変えるだけの簡易な方法で、連写撮影中に画質を任意に変えることができる。
【０００８】
上記発明においては、前記検出部が、前記シャッタ操作部の操作量を検出し、前記シャッタ操作部が、操作量を保持する操作量保持手段を備えることとしてもよい。
このように構成することで、操作量保持手段の作動により、検出部の作動によって検出されたシャッタ操作部の操作量が保持されるので、シャッタ操作部を操作し続けることなくＩＳＯ感度を一定に保つことができる。したがって、シャッタ操作部から手を離しても、画質を維持して連写撮影を行うことができる。
【０００９】
また、上記発明においては、前記シャッタ操作部が、筐体表面から出没可能に設けられた押しボタンであることとしてもよい。
また、上記発明においては、前記シャッタ操作部が、筐体表面に略直交する軸線回りに回転可能なダイヤルであることとしてもよい。
また、上記発明においては、前記シャッタ操作部が、筐体表面と略平行な軸線回りに揺動可能なスティックであることとしてもよい。
また、上記発明においては、前記シャッタ操作部が、筐体表面に沿う方向に移動可能なスライダであることしてもよい。
【発明の効果】
【００１０】
本発明によれば、連写撮影時に任意にＩＳＯ感度を変えることができ、画質を様々なバリエーションで表現することができるという効果を奏する。
【発明を実施するための最良の形態】
【００１１】
〔第１の実施形態〕
以下、本発明の第１の実施形態に係るディジタルカメラ（カメラ）について、図面を参照して説明する。
本実施形態に係るディジタルカメラ１は、図１および図２に示すように、略直方体形状に形成されたカメラ本体（筐体）３と、該カメラ本体３の前面に突出可能に設けられ、外部からの光を集めて被写体の像を結像させるレンズユニット５と、カメラ本体３の上端面に設けられ、前記レンズユニット５からの画像を取得する操作を行うシャッタ操作部７とを備えている。
【００１２】
カメラ本体３は、図３に示すように、前記レンズユニット５により結像された被写体の像を撮影するＣＣＤ等の撮像素子９と、該撮像素子９により取得されたアナログ画像信号を図示しないアナログゲインアンプにて増幅した後デジタル画像信号に変換するアナログフロントエンド（画像信号変換部。以下、単に「ＡＦＥ」という。）１１と、前記シャッタ操作部７の操作量を検出するセンサ（検出部）１３と、該センサ１３により得られた操作量と前記ＡＦＥ１１により処理されたデジタル画像信号とを入力して装置全体の制御を行う全体制御部１５と、該全体制御部１５に入力されたデジタル画像信号を撮影画像データとして記憶するメモリユニット１７とを備えている。また、カメラ本体３は、図示しない撮影モード切替手段を備え、単写撮影モードと連写撮影モードとを切替可能になっている。
【００１３】
シャッタ操作部７は、カメラ本体３の上端面に対して垂直方向に押し込み可能な押しボタン式のシャッタボタンであり、所定量を押し込むことによりシャッタが切られるようになっている。また、シャッタ操作部７は、押し込み方向のストローク長さがＡＦＥ１１内のアナログゲインアンプにおけるゲイン値に対応するようになっている。これにより、連写撮影モード設定時においては、シャッタ操作部７の押し込み量に応じて、撮像素子９により取得されるアナログ画像信号を増幅するゲイン、すなわち、ＩＳＯ感度が変化するようになっている。
【００１４】
具体的には、シャッタ操作部７の押し込み量が増加するにつれてアナログ画像信号を増幅するゲインが増大し、ＩＳＯ感度が高くなるようになっている。したがって、シャッタ操作部７の押し込み量に比例して、ノイズが多くなり画像がザラついて画質が低下する一方、アナログ画像信号が増幅されて、少ない入射光量で明るい画像が得られるようになっている。
【００１５】
全体制御部１５は、カメラ全体をコントロールする全体コントローラ（制御部）１９と、ＡＦＥ１１から出力されるデジタル画像信号をカラー補正やＪＰＥＧ圧縮等の処理を行う映像信号処理部２１と、全体コントローラ１９から送られる制御信号に基づいてＡＦＥ１１を制御するゲイン制御部２３と、全体コントローラ１９から送られる制御信号に基づいて撮像素子９およびＡＦＥ１１を制御するタイミング制御部２５と、全体コントローラ１９から送られる制御信号に基づいてレンズユニット５を制御するレンズユニット制御部２７とを備えている。
【００１６】
メモリユニット１７は、撮影画像データを一時的に記憶するバッファメモリ２９と、レンズユニット５を介して撮影範囲を表示したり、前記バッファメモリ２９に記憶された撮影画像データを表示したりする液晶ディスプレイ３１（以下、単に「ＬＣＤ」という。）と、バッファメモリ２９に記憶された撮影画像データを保存するカードインターフェース３３とを備えている。
【００１７】
このように構成された本実施形態に係るディジタルカメラ１の作用について説明する。
本実施形態に係るディジタルカメラ１が起動されると、レンズユニット５を介して結像される被写体の像が、撮像素子９により撮影されてアナログ画像信号として出力され、ＡＦＥ１１においてデジタル画像信号に変換された後、映像信号処理部２１において画像処理されて、全体制御部１５を介してＬＣＤ３１に表示される。
【００１８】
この状況で、シャッタ操作部７が所定量押し込まれると、全体制御部１５において、映像信号処理部２１から出力されるその時点の被写体のデジタル画像信号に基づいて、ゲイン制御部２３、タイミング制御部２５およびレンズユニット制御部２７が作動する。これにより、撮影画像が適正露光になるように、ＡＦＥ１１、撮像素子９およびレンズユニット５がそれぞれ制御されて、撮像素子９において被写体のアナログ画像信号が取得される。
【００１９】
撮像素子９において取得されたアナログ画像信号は、ＡＦＥ１１においてデジタル画像信号に変換された後、全体コントローラ１９を介してバッファメモリ２９に出力されて一時的に記憶される。バッファメモリ２９に記憶された撮影画像データは、全体コントローラ１９の作動により、ＬＣＤ３１に静止画像として表示したり、カードインターフェース３３に保存したりすることができる。
【００２０】
次に、本実施形態に係るディジタルカメラ１の連写撮影時の動作を、図４に示すフローチャート図を用いて詳細に説明する。
撮影モード切替手段を連写撮影モードに設定すると（ステップＳＡ１）、センサ１３によるシャッタ操作部７の操作量、すなわち、押し込み量の検出が開始される（ステップＳＡ２）。シャッタ操作部７の押し込み量がゼロである場合には（ステップＳＡ３「ＹＥＳ」）、撮影は終了する（ステップＳＡ４）。
【００２１】
一方、シャッタ操作部７の押し込み量がゼロでない場合、すなわち、センサ１３において押し込み量が検出された場合には（ステップＳＡ３「ＮＯ」）、全体コントローラ１９において、検出された押し込み量に基づいて撮像素子９の感度を示すＩＳＯ感度値が算出される。算出されたＩＳＯ感度値はゲイン制御部２３に送られ、ゲイン制御部２３によってＡＦＥ１１内のアナログゲインアンプのゲイン値として設定される（ステップＳＡ５）。
【００２２】
また、全体コントローラ１９においては、算出されたＩＳＯ感度値に基づいて、撮影画像が適正露光になるように、シャッタ速度と絞り値が算出される。算出されたシャッタ速度はタイミング制御部２５に送られ、タイミング制御部２５によって撮像素子９の駆動タイミングが設定されるとともに、タイミング制御部２５からＡＦＥ１１にサンプリングタイミングとして出力されて、ＡＦＥ１１内の図示しないＡＤコンバータの駆動周波数が設定される。また、算出された絞り値はレンズユニット制御部２７に送られ、レンズユニット制御部２７によってレンズユニット５の絞り量が設定される（ステップＳＡ６）。
これにより、ＩＳＯ感度値に応じてそれぞれ制御されたレンズユニット５、撮像素子９およびＡＦＥ１１の作動により、適正露光になるように連写撮影が行われる（ステップＳＡ７）。
【００２３】
連写モードに設定されている間、センサ１３においては、常にシャッタ操作部７の押し込み量が検出され、ステップＳＡ２〜ステップＳＡ７の動作が繰り返される。これにより、例えば、センサ１３により検出されるシャッタ操作部７の押し込み量が増加すると、それに応じてＩＳＯ感度が高くなるように制御されるとともに、レンズユニット５の絞り量と撮像素子９のシャッタ速度が、ＩＳＯ感度に合わせて適正露光になるように制御される。一方、シャッタ操作部７の押し込み量が減少すると、それに応じてＩＳＯ感度が低くなるように制御されるとともに、レンズユニット５の絞り量と撮像素子９のシャッタ速度が、ＩＳＯ感度に合わせて適正露光になるように制御される。
【００２４】
これにより、シャッタ操作部７の押し込み量を増加すると、粒状度が悪くなり画質が低下する一方、アナログ画像信号が増幅されて、少ない入射光量で明るい画像を得ることができる。したがって、シャッタ速度を速くして、手振れが少なくかつ被写体の複雑な動きを細かく撮影したり、絞りを絞って、被写界深度を深くして撮影したりすることが可能になる。また、暗いところでの撮影にも有利になる。
【００２５】
一方、シャッタ操作部７の押し込み量を減少すると、少ない入射光量では明るい画像を得ることができず、シャッタ速度を遅くしたり絞りを開いたりして入射光量を多く確保する必要がある。したがって、暗いところでの撮影に不利になる一方、ノイズを減少させて画像のザラつきを防ぎ、粒状度が良い高画質の撮影を行うことが可能になる。
【００２６】
例えば、鳥や魚のように動きが速く複雑に変わる被写体を連写撮影する場合においては、図５（ａ）〜図５（ｅ）に示すように、背景が空もしくは海のような平坦なシーンでは、ノイズが目立ち易いのでシャッタ操作部７の押し込み量を減少してＩＳＯ感度を低下させる。これにより、ＩＳＯ感度に応じてレンズユニット５の絞りが開くとともに、撮像素子９のシャッタ速度が遅くなるようにそれぞれ自動制御されて、適正な露光量が得られる。この場合、被写体の複雑な動きの細かい変化が得られにくいものの、ノイズが少なくザラつきが目立たない高画質の連写撮影を行うことが可能になる。
【００２７】
一方、背景が町並みや珊瑚、イソギンチャク等の複雑なシーン、すなわち、高周波成分が多いシーンに変わった場合には、ノイズが目立ち難いのでシャッタ操作部７の押し込み量を増加してＩＳＯ感度を高くする。これにより、ＩＳＯ感度に応じてレンズユニット５の絞りが絞られるとともに、撮像素子９のシャッタ速度が速くなるようにそれぞれ自動制御されて、適正露光が維持される。この場合、手振れが少なくかつ被写体の複雑な動きの細かい変化の様子が得られるとともに、被写界深度が深い連写撮影を行うことができる。
【００２８】
以上、本実施形態に係るディジタルカメラ１によれば、シャッタ操作部７を操作して押し込み量を調整するだけの簡易な方法で、適正露光を得つつ、連写撮影中にＩＳＯ感度を任意に変えることができる。これにより、画質を様々なバリエーションで表現することが可能となる。
【００２９】
なお、本実施形態においては、シャッタ操作部７の押し込み量が増加するとＩＳＯ感度が高くなり、押し込み量が減少するとＩＳＯ感度が低くなることを例示して説明したが、これに代えて、例えば、シャッタ操作部７の押し込み量が増加するとＩＳＯ感度が低くなり、押し込み量が減少するとＩＳＯ感度が高くなるようにコントロールすることとしてもよい。
【００３０】
また、本実施形態においては、シャッタ操作部７の操作量に基づいてＩＳＯ感度を変更することを例示して説明したが、これに代えて、例えば、シャッタ操作部７の操作力、すなわち、押し込み時の操作圧力に基づいて、ＩＳＯ感度を変更することとしてもよい。この場合、センサ１３がシャッタ操作部７の操作圧力を検出することとすればよい。
【００３１】
また、本実施形態においては、図５（ａ）〜図５（ｅ）の撮影シーンを例示して説明したが、例えば、撮影後に画像処理を行うことが可能な場合には、図６（ａ）〜図６（ｅ）に示すように、背景が空もしくは海のように平坦なシーンでは、画像処理によってノイズを除去し易いのでＩＳＯ感度を高くし、絞りを絞ってシャッタ速度を速くすることにより、被写体の複雑な動きの変化や奥行きを優先した連写撮影することとし、一方、高周波成分が多いシーンでは、画像処理によってノイズを除去することが難しいのでＩＳＯ感度を下げ、絞りを開いてシャッタ速度を遅くすることにより、ノイズを減らして画質を優先した連写撮影を行うこととしてもよい。
【００３２】
〔第２の実施形態〕
以下、本発明の第２の実施形態に係るディジタルカメラ１０１について、図面を参照して説明する。
本実施形態に係るディジタルカメラ１０１は、図７および図８に示すように、シャッタ操作部１０７の構成が第１の実施形態と異なる。
以下、第１の実施形態に係るディジタルカメラ１と構成を共通する箇所には、同一符号を付して説明を省略する。
【００３３】
ディジタルカメラ１０１のシャッタ操作部１０７は、カメラ本体３の上端面に対して垂直の回転軸を有する略円柱形状のダイヤル式のＩＳＯ感度ダイヤル１０７Ａと、該ＩＳＯ感度ダイヤル１０７Ａの上端面に対して垂直方向に押し込み可能なシャッタボタン１０７Ｂと、ＩＳＯ感度ダイヤル１０７Ａの操作量を保持する図示しない操作量保持手段とを備えている。
【００３４】
ＩＳＯ感度ダイヤル１０７Ａは、図９に示すように、外周周りにＩＳＯ感度値の変化量を記した刻みが設けられ、軸線回りに回転させることによりＩＳＯ感度を変更するようになっている。具体的には、連写撮影モード設定時において、シャッタボタン１０７Ｂを押しながら、ＩＳＯ感度ダイヤル１０７Ａを回転させることにより、その回転量に応じて、ＩＳＯ感度が変化するようになっている。なお、ＩＳＯ感度ダイヤル１０７Ａの刻みが０位置においては、全体コントローラ１９が設定したプログラムのＩＳＯ感度値がＡＦＥ１１内のアナログゲインアンプのゲイン値として設定されるようになっている。
【００３５】
例えば、ＩＳＯ感度ダイヤル１０７Ａを刻みの＋１位置，＋２位置，＋３位置というように、時計回りに回転量を大きくするにつれて、ＩＳＯ感度が高くなるようになっている。したがって、回転量に比例して、粒状度が悪くなり画質が低下する一方、アナログ画像信号が増幅されて、少ない入射光量でも明るい画像が得られるようになっている。
【００３６】
また、刻みの−１位置，−２位置，−３位置というように、反時計回りに回転量を大きくするにつれてＩＳＯ感度が低下するようになっている。したがって、回転量に比例してアナログ画像信号が小さくなるので、粒状度が良くなり高画質の画像が得られるようになっている。なお、ＩＳＯ感度ダイヤル１０７Ａは、外周回りのストローク長さがＡＦＥ１１内のアナログゲインアンプのゲイン値の上限と下限の範囲に対応するようになっている。
【００３７】
操作量保持手段は、連写撮影モード設定時において、シャッタボタン１０７Ｂを押しながら、ＩＳＯ感度ダイヤル１０７Ａを回転させることにより作動し、ＩＳＯ感度ダイヤル１０７Ａが刻みの０位置を除く位置に設定されると、ＩＳＯ感度ダイヤル１０７Ａをその回転位置で保持するようになっている。
【００３８】
このように構成された本実施形態に係るディジタルカメラ１０１の作用について説明する。
本実施形態に係るディジタルカメラ１０１は、連写撮影時においては、図１０に示すように、センサ１３によりＩＳＯ感度ダイヤル１０７Ａの操作量、すなわち、回転量が検出される（ステップＳＢ２）。ＩＳＯ感度ダイヤル１０７Ａの回転量がゼロである場合には（ステップＳＢ３「ＹＥＳ」）、全体コントローラ１９が設定したプログラムのＩＳＯ感度値に設定される（ステップＳＢ４）。
【００３９】
一方、ＩＳＯ感度ダイヤル１０７Ａの回転量がゼロでない場合、すなわち、センサ１３において回転量が検出された場合には（ステップＳＢ３「ＮＯ」）、全体制御部１５において、検出された回転量に基づいてＩＳＯ感度値が算出される。
そして、算出されたＩＳＯ感度値に基づいてレンズユニット５、撮像素子９およびＡＦＥ１１が制御され、適正露光になるように連写撮影が行われる（ステップＳＢ７）。
【００４０】
連写モードに設定されている間、センサ１３においては、常にＩＳＯ感度ダイヤル１０７Ａの回転量が検出され、ステップＳＢ２〜ステップＳＢ７の動作が繰り返される。これにより、例えば、センサ１３により検出されるＩＳＯ感度ダイヤル１０７Ａの回転量が時計回りに大きくなると、それに応じてＩＳＯ感度が高くなるように制御される。一方、ＩＳＯ感度ダイヤル１０７Ａの回転量が反時計回りに大きくなると、それに応じて撮像素子９のＩＳＯ感度が低くなるように制御される。
【００４１】
この場合に、ＩＳＯ感度ダイヤル１０７Ａが回転させられて、刻みの０位置を除く位置に設定されると、ＩＳＯ感度ダイヤル１０７Ａがその回転位置で保持されるので、ユーザがシャッタ操作部７を操作し続けることなく、ＩＳＯ感度を一定に保つことができる。
【００４２】
以上説明したように、本実施形態に係るディジタルカメラ１０１によれば、シャッタ操作部７を操作してＩＳＯ感度ダイヤル１０７Ａの回転量を変えるだけの簡易な方法で、適正露光を得つつ、連写撮影中にＩＳＯ感度を任意に高くしたり低くしたりすることができる。また、ユーザがシャッタ操作部７から手を離しても、一定のＩＳＯ感度を維持して連写撮影を行うことができる。
【００４３】
なお、本実施形態においては、ＩＳＯ感度ダイヤル１０７Ａの回転量に基づいてＩＳＯ感度を変更することを例示して説明したが、これに代えて、例えば、ＩＳＯ感度ダイヤル１０７Ａとして、バネ等により回転角に応じて操作力が変化する構造のものを採用し、ＩＳＯ感度ダイヤル７１０７Ａの操作力に基づいて、ＩＳＯ感度を変更することとしてもよい。この場合、センサ１３がＩＳＯ感度ダイヤル１０７Ａの操作力を検出することとすればよい。
【００４４】
〔第３の実施形態〕
以下、本発明の第３の実施形態に係るディジタルカメラ２０１について、図面を参照して説明する。
本実施形態に係るディジタルカメラ２０１は、図１１および図１２に示すように、シャッタ操作部２０７の構成が第１の実施形態と異なる。
以下、第１の実施形態に係るディジタルカメラ１と構成を共通する箇所には、同一符号を付して説明を省略する。
【００４５】
ディジタルカメラ２０１のシャッタ操作部２０７は、カメラ本体３の上端面から直立するように突出するスティック式のＩＳＯ感度スティック２０７Ａを備えている。また、シャッタボタン２０７Ｂが、前記ＩＳＯ感度スティック２０７Ａ近傍のＬＣＤ３１側端面の凸部に垂直方向に押し込み可能に設けられている。また、ＩＳＯ感度スティック２０７Ａは、図１３に示すように、カメラ本体３の上端面近傍に表面に沿って配置される軸線回りに揺動可能に設けられている。
【００４６】
具体的には、シャッタボタン２０７ＢおよびＩＳＯ感度スティック２０７Ａは、ユーザがディジタルカメラ２０１の長手方向の両端部をそれぞれ保持した場合に、右手の親指をシャッタボタン２０７Ｂに添えた状態で、人差し指がＩＳＯ感度スティック２０７Ａに引っ掛けられるように配置されている。これにより、シャッタボタン２０７Ｂを親指で押しながら、人差し指でＩＳＯ感度スティック２０７Ａを手前側に押し倒すことができるようになっている。
【００４７】
また、ＩＳＯ感度スティック２０７Ａは、倒し角に応じてＩＳＯ感度を変更するようになっている。具体的には、連写撮影モード設定時において、シャッタボタン２０７Ｂを押しながら、ＩＳＯ感度スティック２０７Ａを押し倒すことにより、その倒し角に応じて、ＩＳＯ感度が変化するようになっている。なお、ＩＳＯ感度スティック２０７Ａが直立した状態においては、全体コントローラ１９が設定したプログラムのＩＳＯ感度値がＡＦＥ１１内のアナログゲインアンプのゲイン値として設定されるようになっている。
【００４８】
例えば、ＩＳＯ感度スティック２０７Ａの倒し角が大きくなるにつれてＩＳＯ感度が高くなるようになっている。したがって、ＩＳＯ感度スティック２０７Ａの倒し角に比例して、粒状度が悪くなり画質が低下する一方、アナログ画像信号が増幅されて、少ない入射光量で明るい画像が得られるようになっている。
【００４９】
また、ＩＳＯ感度スティック２０７Ａは、倒し角のストロークが、ＡＦＥ１１内のアナログゲインアンプのゲイン値の上限と下限の範囲に対応するようになっている。なお、ＩＳＯ感度スティック２０７Ａは、操作量がユーザに分かるように、倒し角が段階的に可変するように設けることとしてもよい。
【００５０】
このように構成された本実施形態に係るディジタルカメラ２０１の作用について説明する。
本実施形態に係るディジタルカメラ２０１は、連写撮影時においては、図１４に示すように、センサ１３によりＩＳＯ感度スティック２０７Ａの操作量、すなわち、倒し角が検出される（ステップＳＣ２）。ＩＳＯ感度スティック２０７Ａの倒し角がゼロである場合には（ステップＳＣ３「ＹＥＳ」）、全体コントローラ１９が設定したプログラムのＩＳＯ感度値に設定される（ステップＳＣ４）。
【００５１】
一方、ＩＳＯ感度スティック２０７Ａの倒し角がゼロでない場合、すなわち、センサ１３において倒し角が検出された場合には（ステップＳＣ３「ＮＯ」）、全体制御部１５において、検出された倒し角に基づいてＩＳＯ感度値が算出される。
これにより、算出されたＩＳＯ感度値に基づいてレンズユニット５、撮像素子９およびＡＦＥ１１、が制御され、適正露光になるように連写撮影が行われる（ステップＳＣ７）。
【００５２】
連写モードに設定されている間、センサ１３においては、常にＩＳＯ感度スティック２０７Ａの倒し角が検出され、ステップＳＣ２〜ステップＳＣ７の動作が繰り返される。これにより、例えば、センサ１３により検出されるＩＳＯ感度スティック２０７Ａの倒し角が大きくなると、それに応じてＩＳＯ感度が高くなるように制御される。一方、ＩＳＯ感度スティック２０７Ａの倒し角が小さくなると、それに応じて撮像素子９のＩＳＯ感度が低くなるように制御される。
【００５３】
以上説明したように、本実施形態に係るディジタルカメラ２０１によれば、シャッタ操作部７を操作してＩＳＯ感度スティック２０７Ａの倒し角を変えるだけの簡易な方法で、適正露光を得つつ、連写撮影中にＩＳＯ感度を任意に高くしたり低くしたりすることができる。
【００５４】
なお、本実施形態においては、ＩＳＯ感度スティック２０７Ａの倒し角が大きくなるとＩＳＯ感度が高くなり、倒し角が小さくなるとＩＳＯ感度が低くなることを例示して説明したが、これに代えて、例えば、ＩＳＯ感度スティック２０７Ａを右に倒すとその倒し角が大きくなるにつれてＩＳＯ感度が高くなり、左に倒すとその倒し角が大きくなるにつれてＩＳＯ感度が低くなるようにコントロールすることとしてもよい。
【００５５】
また、本実施形態においては、ＩＳＯ感度スティック２０７Ａの倒し角に基づいてＩＳＯ感度を変更することを例示して説明したが、これに代えて、例えば、ＩＳＯ感度スティック２０７Ａの倒し角の操作力、すなわち、押し倒し時の操作圧力に基づいて、ＩＳＯ感度を変更することとしてもよい。例えば、ＩＳＯ感度スティック２０７Ａを右に倒すような圧力が大きくなるにつれてＩＳＯ感度が高くなり、左に倒すような圧力が大きくなるにつれてＩＳＯ感度が低くなることとしてもよい。この場合、センサ１３がＩＳＯ感度スティック２０７Ａの操作圧力を検出することとすればよい。
【００５６】
以上、本発明の実施形態について図面を参照して詳述してきたが、具体的な構成はこの実施形態に限られるものではなく、本発明の要旨を逸脱しない範囲の設計変更等も含まれる。
例えば、第３の実施形態に係るディジタルカメラ２０１が、シャッタ操作部２０７のＩＳＯ感度スティック２０７Ａに代えて、カメラ本体３の表面に沿う方向に移動可能なスライダ状のＩＳＯ感度スライダを備えていることとしてもよい。この場合、例えば、ＩＳＯ感度スライダを一方向にスライド可能に設け、一方にスライドさせるとそのスライド長さに応じてＩＳＯ感度が高くなり、他方にスライドさせるとそのスライド長さに応じてＩＳＯ感度が低くなることとすればよい。
【００５７】
また、上記各実施形態においては、シャッタ操作部７，１０７，２０７の操作量または操作力により変えられるＩＳＯ感度に基づいて、撮影画像が適正露光となるようにレンズユニット５の絞り量および撮像素子９のシャッタ速度が制御されることとして説明したが、絞り量およびシャッタ速度の制御により調整可能な範囲を超えてＩＳＯ感度が高くなったり低くなったりすると、適正な露光量の撮影画像を得ることができない。したがって、例えば、絞り量およびシャッタ速度の制御により適正な露光量になる範囲内でＩＳＯ感度が変えられるように設定することとしてもよいし、あるいは、何らかの警報を報知する等の対策を施して、適正な露光量になる範囲を超えてＩＳＯ感度が変えられるように設定することとしてもよい。
【００５８】
また、上記各実施形態においては、ＡＦＥ１１のＩＳＯ感度に合わせてシャッタ速度とレンズユニット５の絞り量が制御されることを例示して説明したが、必ずしもシャッタ速度および絞り量の両方を変更する必要はなく、適正露光が得られるようにシャッタ速度または絞り量のどちらか一方を変更することとしてもよい。
【図面の簡単な説明】
【００５９】
【図１】本発明の第１の実施形態に係るディジタルカメラの上面図である。
【図２】図１のディジタルカメラの背面図である。
【図３】図１のディジタルカメラのカメラ本体内部のブロック図である。
【図４】図１のディジタルカメラの連写撮影時の動作を示すフローチャート図である。
【図５】図５（ａ）は背景の様子を示し、図５（ｂ）は図１のディジタルカメラのＩＳＯ感度を示し、図５（ｃ）は図１のディジタルカメラの絞りを示し、図５（ｄ）は図１のディジタルカメラのシャッタ速度を示し、図５（ｅ）は図１のディジタルカメラの露光量を示した図である。
【図６】図６（ａ）は背景の様子を示し、図６（ｂ）は図１のディジタルカメラのＩＳＯ感度を示し、図６（ｃ）は図１のディジタルカメラの絞りを示し、図６（ｄ）は図１のディジタルカメラのシャッタ速度を示し、図６（ｅ）は図１のディジタルカメラの露光量を示した図である。
【図７】本発明の第２の実施形態に係るディジタルカメラの上面図である。
【図８】図７のディジタルカメラの背面図である。
【図９】図７のディジタルカメラのＩＳＯ感度ダイヤルの拡大図である。
【図１０】図７のディジタルカメラの連写撮影時の動作を示すフローチャート図である。
【図１１】本発明の第３の実施形態に係るディジタルカメラの上面図である。
【図１２】図１１のディジタルカメラの背面図である。
【図１３】図１１のディジタルカメラのＩＳＯ感度スティックの拡大図である。
【図１４】図１１のディジタルカメラの連写撮影時の動作を示すフローチャート図である。
【符号の説明】
【００６０】
１  ディジタルカメラ（カメラ）
７  シャッタ操作部
９  撮像素子
１１  ＡＦＥ（画像信号変換部）
１３  センサ（検出部）
１９  全体コントローラ（制御部）
【図１】
2009027553.tif 000003
【図２】
2009027553.tif 000004
【図３】
2009027553.tif 000005
【図４】
2009027553.tif 000006
【図５】
2009027553.tif 000007
【図６】
2009027553.tif 000008
【図７】
2009027553.tif 000009
【図８】
2009027553.tif 000010
【図９】
2009027553.tif 000011
【図１０】
2009027553.tif 000012
【図１１】
2009027553.tif 000013
【図１２】
2009027553.tif 000014
【図１３】
2009027553.tif 000015
【図１４】
2009027553.tif 000016